(57)【要約】【課題】放射線漏れを防止できる建物や部屋を軽量化、コストダウンを図りつつ構築する上で有利で、また、放射線漏れを防止できる部屋を同じ建物内で別の場所にコストダウンを図りつつ移す上で有利な放射線遮蔽パネルを提供すること。【解決手段】放射線遮蔽パネル１０は、放射線の透過を阻止する放射線遮蔽ゴムパネル１２と、放射線遮蔽ゴムパネル１２を挟んだ一対の繊維強化樹脂パネル１４とを含んで構成され、それらパネル１２，１４は接合されている。放射線遮蔽ゴムパネル１２により放射線の透過を阻止する。一対の繊維強化樹脂パネル１４によりパネルとしての強度、剛性を確保する。また、一対の繊維強化樹脂パネル１４により放射線遮蔽ゴムパネル１２と空気との接触を阻止し、放射線遮蔽ゴムパネル１２を構成するゴムの経年劣化を阻止する。【選択図】図１
2019184298.tif 000002
【特許請求の範囲】
【請求項１】
放射線の透過を阻止する放射線遮蔽ゴムパネルと、
前記ゴムパネルを挟んだ一対の繊維強化樹脂パネルと、
を含んで構成されていることを特徴とする放射線遮蔽パネル。
【請求項２】
繊維強化樹脂パネルと、
前記繊維強化樹脂パネルに接合され放射線の透過を阻止する放射線遮蔽ゴムパネルと、
を含んで構成されていることを特徴とする放射線遮蔽パネル。
【請求項３】
前記放射線遮蔽ゴムパネルに化粧パネルが接合されている、
ことを特徴とする請求項２記載の放射線遮蔽パネル。
【発明の詳細な説明】
【技術分野】
【０００１】
本発明は、放射線遮蔽パネルに関する。
【背景技術】
【０００２】
従来、原子力に関する研究、試験などは、放射線漏れを防止する観点からコンクリート造りの建物の内部で行なわれ、あるいは、建物の内部でコンクリートや鋼板などで仕切られた部屋で行なわれている。
【先行技術文献】
【特許文献】
【０００３】
【特許文献１】特開２０１６−９０２７７
【発明の概要】
【発明が解決しようとする課題】
【０００４】
しかしながら、コンクリート造りの建物やコンクリートで仕切られた部屋を構築する場合には、コンクリート型枠の組み立て、コンクリートの打設養生、型枠の取り外しなどの多くの手間と時間を要し、コストが掛かるという不具合がある。
また、鋼板で仕切られた部屋を構築する場合にも、鋼板は重量が大きいため鋼板の運搬、搬入を効率良く行なえず、また、時間の掛かる鋼板をつなぎ合わせる溶接などやはり多くの手間と時間を要し、コストが掛かるという不具合がある。
さらに、鋼板で仕切られた部屋を２階以上の階層に構築する場合、鋼板で仕切られた部屋は重量増となることから、鋼板で仕切られた部屋を支える柱や梁を強固なものにする必要があり、さらにコストが掛かるという不具合がある。
また、同じ建物内で原子力に関する研究、試験などを別の場所で行なう必要が生じた場合、コンクリートや鋼板などで仕切られた部屋を最初から構築し直さなければならず、多くの手間と時間を要し、コストが掛かるという不具合がある。
本発明は前記事情に鑑み案出されたものであって、本発明の目的は、放射線漏れを防止できる建物や部屋を軽量化、コストダウンを図りつつ構築する上で有利で、また、放射線漏れを防止できる部屋を同じ建物内で別の場所にコストダウンを図りつつ移す上で有利な放射線遮蔽パネルを提供することにある。
【課題を解決するための手段】
【０００５】
上記目的を達成するために本発明の放射線遮蔽パネルは、放射線の透過を阻止する放射線遮蔽ゴムパネルと、前記ゴムパネルを挟んだ一対の繊維強化樹脂パネルとを含んで構成されていることを特徴とする。
また、本発明の放射線遮蔽パネルは、繊維強化樹脂パネルと、前記繊維強化樹脂パネルに接合され放射線の透過を阻止する放射線遮蔽ゴムパネルとを含んで構成されていることを特徴とする。
また、本発明は、前記放射線遮蔽ゴムパネルに化粧パネルが接合されていることを特徴とする。
【発明の効果】
【０００６】
本発明の放射線遮蔽パネルによれば、鋼板に比べて極めて軽量であり、従来の建築資材である木製や樹脂製のパネルと同様に取り扱うことができるため、外部への放射線漏れを防止できる建物や部屋をコストダウンを図りつつ構築する上で有利となる。
また、外部への放射線漏れを防止できる部屋を２階以上の階層に構築する場合であっても、鋼板で仕切られた部屋のように重量増とならないことから、柱や梁を強固にする必要はなく、コストダウンを図る上で有利となる。
また、同じ建物内で原子力に関する研究、試験などを別の場所で行なう必要が生じた場合、壁、天井、床、出入口を開閉するドアを放射線遮蔽パネルに張り替えることで足りるため、コストを掛けずに簡単に移す上で有利となる。
また、放射線の透過を阻止する放射線遮蔽ゴムパネルと、放射線遮蔽ゴムパネルを挟んだ一対の繊維強化樹脂パネルとを含んで構成された本発明の放射線遮蔽パネルによれば、一対の繊維強化樹脂パネルにより、放射線遮蔽ゴムパネルと空気との接触が阻止されていることから、放射線遮蔽ゴムパネルを構成するゴムの経年劣化を阻止でき、外部への放射線漏れを防止できる建物や部屋の耐久性を高める上で有利となる。
また、建物の外壁を放射線遮蔽パネルを用いて構築すると、繊維強化樹脂パネルは鋼板に比べ耐食性に優れ、２０年、３０年と時間が経過しても鋼板のように腐食していくことはなく、鋼板製の建物に比べ外部への放射線漏れを防止できる建物の耐久性を高める上で有利となる。
また、繊維強化樹脂パネルと、繊維強化樹脂パネルに接合され放射線の透過を阻止する放射線遮蔽ゴムパネルとを含んで構成された本発明の放射線遮蔽パネルによれば、放射線遮蔽パネルの構造が簡易であることから、外部への放射線漏れを防止できる建物や部屋を安価に構築する上で有利となる。
また、外側に繊維強化樹脂パネルが位置するように建物の外壁を放射線遮蔽パネルを用いて構築すると、繊維強化樹脂パネルは鋼板に比べ耐食性に優れるため腐食していくことはなく、鋼板製の建物に比べ外部への放射線漏れを防止できる建物の耐久性を高める上で有利となる。
【図面の簡単な説明】
【０００７】
【図１】第１の実施の形態の放射線遮蔽パネルの断面図である。
【図２】第２の実施の形態の放射線遮蔽パネルの断面図である。
【図３】第３の実施の形態の放射線遮蔽パネルの断面図である。
【発明を実施するための形態】
【０００８】
（第１の実施の形態）
第１の実施形態について図１を参照して説明する。
放射線遮蔽パネル１０は、放射線の透過を阻止する放射線遮蔽ゴムパネル１２と、放射線遮蔽ゴムパネル１２を挟んだ一対の繊維強化樹脂パネル１４とを含んで構成され、それらパネル１２，１４は接合されている。
放射線遮蔽ゴムパネル１２により、建物外部あるいは部屋の外部への放射線漏れを防止し、一対の繊維強化樹脂パネル１４によりパネルとしての強度、剛性を確保する。
繊維強化樹脂パネル１４を構成する繊維として、ガラス繊維、アラミド繊維、カーボン繊維などの従来公知の様々な強化繊維が使用可能であり、樹脂としてエポキシ樹脂、ポリエステル樹脂、ビニルエステル樹脂などの剛性を有する従来公知の様々な樹脂が使用可能である。
また、放射線遮蔽ゴムパネル１２により放射線の透過を阻止する。
放射線遮蔽ゴムパネル１２を構成するゴムとして、放射線の透過を阻止する従来公知の様々なゴムが使用可能である。
【０００９】
放射線遮蔽パネル１０は、建物の内部に気密に閉塞された空間を仕切るように、建物の外壁、内壁、天井、床、出入口を開閉するドアなど建物の外部と内部とを仕切る箇所に用いられ、あるいは、気密に閉塞された部屋を仕切るように、部屋の壁、天井、床、出入口を開閉するドアなど部屋の外部と内部とを仕切る箇所に用いられる。
そして、放射線遮蔽パネル１０で仕切られた閉塞した内部空間で原子力に関する研究、試験などを行なう建物が構築され、あるいは、建物の部屋が構築される。
【００１０】
本実施の形態によれば、放射線遮蔽パネル１０は、放射線遮蔽ゴムパネル１２と、放射線遮蔽ゴムパネル１２を挟んだ一対の繊維強化樹脂パネル１４とを含んで構成されているので、鋼板に比べて極めて軽量であり、従来の建築資材である木製や樹脂製のパネルと同様に取り扱うことができるため、外部への放射線漏れを防止できる建物や部屋を簡単に構築することができ、コンクリートや鋼板を用いる場合に比べコストダウンを図る上で有利となる。
また、外部への放射線漏れを防止できる部屋を２階以上の階層に構築する場合、鋼板で仕切られた部屋のように重量増とならないことから、柱や梁を強固にする必要はなく、放射線漏れを防止できる建物のコストダウンを図る上で有利となる。
また、同じ建物内で原子力に関する研究、試験などを別の場所で行なう必要が生じた場合、壁、天井、床、出入口を開閉するドアを放射線遮蔽パネル１０に張り替えることで足りるため、コンクリートや鋼板などで仕切られた部屋を最初から構築し直す必要はなく、研究、試験などを別の場所にコストを掛けずに簡単に移すことが可能となる。
【００１１】
また、外壁に放射線遮蔽パネル１０を用いて建物を構築すると、繊維強化樹脂パネル１４は鋼板に比べ耐食性に優れ、２０年、３０年と時間が経過しても鋼板のように腐食していくことはなく、外部への放射線漏れを防止できる建物の耐久性を高める上で有利となる。
また、放射線遮蔽ゴムパネル１２は、一対の繊維強化樹脂パネル１４により、空気との接触が阻止されていることから、放射線遮蔽ゴムパネル１２を構成するゴムの経年劣化を阻止でき、外部への放射線漏れを防止できる建物や部屋の耐久性を高める上で有利となる。
【００１２】
（第２の実施の形態）
第２の実施形態について図２を参照して説明する。
なお、以下の実施の形態では、第１の実施の形態と同様な箇所に同一の符号を付してその説明を省略し、異なった箇所を重点的に説明する。
第２の実施形態では、放射線遮蔽パネル１０は、繊維強化樹脂パネル１４と放射線遮蔽ゴムパネル１２とで構成され、一方の繊維強化樹脂パネル１４が省略されている点が第１の実施の形態と異なっている。
すなわち、第１の実施の形態では、放射線遮蔽ゴムパネル１２の両面の２枚の繊維強化樹脂パネル１４により放射線遮蔽パネル１０の強度、剛性を確保しているのに対して、第２の実施の形態では、１枚の繊維強化樹脂パネル１４により放射線遮蔽パネル１０の強度、剛性を確保している。
このような第２の実施の形態によれば、第１の実施の形態に比べて放射線遮蔽パネル１０の構造が簡易であることから、第１の実施の形態に比べ、外部への放射線漏れを防止できる建物や部屋のコストダウンを図る上でより有利となり、研究、試験などを別の場所に移す場合にコストダウンを図る上でより有利となる。
また、外側に繊維強化樹脂パネル１４を位置させて建物を構築すると、第１の実施の形態に比べ、外部への放射線漏れを防止でき耐久性の優れる建物を安価に構築する上でより有利となる。
【００１３】
（第３の実施の形態）
第３の実施形態について図３を参照して説明する。
第３の実施形態では、第２の実施の形態の放射線遮蔽ゴムパネル１２に化粧パネル１６を接合したものである。
化粧パネル１６は、繊維強化樹脂パネル１４と反対側の放射線遮蔽ゴムパネル１２の面、すなわち建物の内部、あるいは部屋の内部に面する放射線遮蔽ゴムパネル１２の面に接合されている。
化粧パネル１６は、建物の内部あるいは部屋の内部の意匠性を高め、同時に、放射線遮蔽ゴムパネル１２を構成するゴムと空気との接触を阻止し、ゴムの経年劣化を阻止するものである。
化粧パネル１６は、空気の透過を不能とし放射線遮蔽ゴムパネル１２に空気を接触させないものであればよく、樹脂などの従来公知の様々な材料が使用可能であり、化粧パネル１６には厚さの小さい膜やシートを含む。
【００１４】
第３の実施の形態によれば、第１の実施の形態と同様に、外部への放射線漏れを防止できる建物や部屋のコストダウンを図る上で有利となる効果、研究、試験などを別の場所に移す場合にコストダウンを図る上で有利となる効果が奏される他、第２の実施の形態と同様に、外側に繊維強化樹脂パネル１４を位置させて建物を構築すると、外部への放射線漏れを防止できる建物の耐久性を高める上で有利となる効果が奏される。さらに、第１の実施の形態、第２の実施の形態に比べ、第３の実施の形態の放射線遮蔽パネル１０により建物の内壁あるいは部屋の内壁を構築すると、化粧パネル１６により建物の内部や部屋の内部の意匠性を高めることができ、また、化粧パネル１６により放射線遮蔽ゴムパネル１２を構成するゴムの経年劣化を阻止できるので、第２の実施の形態に比べて、建物の内部あるいは部屋の内部の見栄えを長期にわたって保つ上で有利となる。
【符号の説明】
【００１５】
１０  放射線遮蔽パネル
１２  放射線遮蔽ゴムパネル
１４  繊維強化樹脂パネル
１６  化粧パネル
【図１】
2019184298.tif 000003
【図２】
2019184298.tif 000004
【図３】
2019184298.tif 000005